(57)【要約】【課題】  病気や事故で手、指の機能障害や低下を生じた人が自分がやりたいときに何時でも、何処ででもリハビリテーションが行えて機能回復を早め、スポーツ選手等にとっても同様に何時でも、何処ででも指力や手の握力又は前腕部や上腕部を鍛えることが出来る機能回復補助具を提供する。【解決手段】  手の５本の指をそれぞれ差し込む袋部をもった５指手袋と、この手袋の手差込口に一体に設けられ手袋を手首部分内側に固定するための固定片と、この固定片に固定するために設けられた、手首外側から連続して伸び出た固定用折込み片を重ね合わせ固定することで手首部分が指先に移動しないように係り止めされる固定用折込み片とからなる手袋固定部と、ゴム紐固定片にそれぞれ一端を固定するとともに、各他端を人差し指、中指、薬指の手袋先端部に固定したＳ管の一方のリング部に取付ける３本のゴム紐を備えた機能回復補助具。                            【選択図】図１
2011167289.tif 000002
【特許請求の範囲】
【請求項１】
手の５本の指をそれぞれ差し込む袋部をもった５指手袋と、この手袋の手差込口に一体に設けられ手袋を手首部分内側に固定するための固定片と、この固定片に一体的に設けられた固定用折込片とを重ね合わせて固定することで手首部分が指先に移動しないようにした手袋固定部と、人差し指、中指、薬指のための３本のゴム紐の一端を固定したゴム紐固定片を前記固定片と固定折込片間の固定し、ゴム紐の各他端に設けたループ部を人差し指、中指、薬指の各手袋先端部に取付けたＳ管の一方のリング部分に係り止めした機能回復補助具。
【発明の詳細な説明】
【技術分野】
【０００１】
本発明は、脳血栓や脳梗塞等で、負傷した人の機能が低下した指、手および腕などの機能回復を図る上で有効な補助具であり、更に詳しく述べれば医療の現場では作業療法士不足を補いリハビリテーション費用の削減を、あるいは野球等のスポーツ選手においては指力や握力や前腕部も上腕部も鍛え筋力強化を図ることの出来る補助具に関するものである。
【背景技術】
【０００２】
機能障害者、例えば脳血栓や脳梗塞等の脳の障害に起因して手に不自由を生じた人が多数いる。本発明はこれらの人の指や手の機能回復を早めるのに役たち、あるいはスポ−ツ選手等の指力及び握力や前腕部や上腕部の筋力強化を図るのに適した補助具を提供するものである。
【０００３】
しかしこれまでのこの種の指あるいは手の機能回復補助具は市販商品には見あたらなかった。本出願人は、前記目的の機能回復補助具として先に特願２００９−２８３８３１号に記載の発明を提案した。
【先行技術文献】
【特許文献】
【０００４】
【特許文献１】特願２００９−２８３８３１号
【発明の開示】
【発明が解決しようとする課題】
【０００５】
本発明は、先の提案をさらに改良して、手袋の使用につれて生じるゴム紐の劣化に伴う張力不足を解決するため、スペアのゴム紐の取替えを使用者である障害者のみならず、誰でもたやすく出来るようにしたものである。
【課題を解決するための手段】
【０００６】
本発明は、通常５本の指をそれぞれ差し込む袋部をもった５指手袋の手差込口に一体に設けられた、手袋を手首部分に固定するための固定片のうち手首内側部分に５指のうち中３本の指、すなわち人差指、中指、薬指につながれるゴム紐の一端を束ねて固定片で固定するとともに、この３本の指の各先端部にS管を取付け、このS管部分に３本のゴム紐の先端に設けたループ部をそれぞれ差し込んで取付けたものである。
【０００７】
このような構造とすることで、手袋を繰り返し使用することでゴム紐の張力が劣化した場合、スペアのゴム紐先端のループ部を、３指の先端部にそれぞれ取付けたS管の一方のリング部を開いて差し込めばゴム紐の取替えができ、手の不自由な使用者であっても簡単にゴム紐の取替えが行える。勿論ゴム紐の取替えは手袋使用者だけでなく、誰にでも簡単に行なうことが出来る。
【０００８】
この機能回復用補助具としての手袋はまた、前記の中３本の指に繋がったゴム紐とは別に５指の先端相互間を１本のゴム紐で環状に繋いでいて、手袋をはめた状態で手を開いたり、閉じたりする動作を行なうと、同時に５本の指間を開いたり閉じたりする際、張られたゴム紐の張力に逆らった力が必要となり、このゴム紐の張力に対抗して指を広げて（手を広げ）筋力を高めることで、指力や握力や前腕部や上腕部をも鍛えて指や手の機能回復を早めるとともに、指力、握力や前腕部や上腕部の筋力強化を図ることのできるものである。
【発明の効果】
【０００９】
本発明の補助具は、使用につれて張力が劣化したゴム紐を簡単に取替えでき、常に機能回復用補助具としての機能を保つことができる。従って、医療の現場では作業療法士がいなくても、機能障害者やスポーツ選手等が自分自身でリハビリやトレーニングが行え、機能回復を早めたり、スポーツ選手等にとっては大事な指力、握力や、前腕部や上腕部の筋力強化を図るのに適した補助具であり、医療の現場では作業療法士等の関連人件費の削減にも役立つものである。
【図面の簡単な説明】
【００１０】
【図１】本発明の補助具を左手にはめて手および指を開いた図である。
【図２】本発明の補助具を左手にはめて手を結んだ図である。
【発明を実施するための形態】
【００１１】
以下、本発明の実施形態にかかる補助具を図１、図２にそって説明する。
図１は、傷害を負った手（ここでは左手）に５指手袋をはめたままで手を開いた状態を示す。図中１は５指手袋、２−１は手袋の手差込口の手首部分に一体に設けられた手首部分内側に固定片３を固定するための固定片である。この固定片２―１は固定用折込片２−２はゴム紐固定片３を手首部分内側に確実に固定するための固定用折込片である。ゴム紐固定片３には、３本のゴム紐４の一端が束ねられて固定されている。なお、固定片２−１、固定用折込み片２−２は，３のゴム紐固定片に向き合う片面には、係り止めのためにクラレ株式会社の登録商標マジックテープで知られたような、鉤部とループ部とからなる雄面と雌面が縫い付けられている。
【００１２】
固定用折込み片と固定片との止め方は、前記の鉤部とループ部の係り止めのほかスナップリングやボタン止めでも良い。しかし使用者の手首の太さ等に応じて固定位置の調整が最も容易な止め方は、前記のマジックテープによるものである。
ゴム紐固定片３部分に一端が固定された人差し指、中指、薬指の３本のゴム紐４ａ、４ｂ、４ｃの各他端は、人差し指が入った手袋先端、同じく中指が入った手袋先端、同じく薬指が入った手袋先端に縫い付けたループ状の紐輪５ａ、５ｂ、５ｃにそれぞれ一方のリング部分を取付けたＳ管の他方のリング部分を開き、ここにゴム紐先端のループ部を差し込んで係り止めする。
【００１３】
６は前記の人差指、中指、薬指がそれぞれ入った３本の手袋先端と、親指の入った手袋先端及び小指の入った手袋先端の５指の先端全てを環状に繋いだ１本のゴム紐である。７は人差指、中指、薬指の先端にそれぞれ取付けたＳ管である。図２は、図１の手を開いた状態から手を握った状態を示す図である。なおＳ管は小さな寸法の金属製、例えばステンレス鋼やクロムめっきした鋼やポリプロピレン樹脂で形成すると安全性、衛生面から良都合である。
【００１４】
このとき５本の指先は、４で示す３本のゴム紐と６で示す５指を環状に繋ぐ１本のゴム紐の有している弾力に勝った力でゴム紐を引っ張っている。言い換えると５本の指にはゴム紐を引っ張るという負荷が掛かり、このことが手および指の開く力を強化鍛錬することになる。指に一層力を入れてこれを繰り返すことで、指あるいは握力、前腕部や上腕部の筋力を強化することになり、この動作を繰り返し行なうことが機能回復を早めることにつながる。
【００１５】
さらにこの手袋のサイズは、男性用、女性用、子供用共に左、右一対そろえて、使用者の年齢、体格に応じたものを用意すると良い。こうすれば老若男女を問わず、いずれの人も利用することが出来る。その際、指力や握力には個人差があるため、ゴムの長さと引っ張り弾力の強さは使用者個人に応じて強弱に設定することとする。例えばサイズは、Ｓ，ＳＳ，Ｍ，Ｌ，ＬＬの５タイプか、さらにはこれに加えてオーダーメイドサイズを揃えるとよい。
【符号の説明】
【００１６】
１      ５指手袋
２−１  手首固定片
２−２  固定用折り込み片
３      ゴム紐固定片
４ａ、４ｂ、４ｃ  ゴム紐
５ａ、５ｂ、５    紐輪
６    手袋の５指先端全てを環状に繋ぐゴム紐
７    Ｓ管  
【図１】
2011167289.tif 000003
【図２】
2011167289.tif 000004